(57)【要約】【課題】支持脚取付部材の破損を抑制することが可能な撮影装置を提供する。【解決手段】このビデオカメラ１は、筐体２と、三脚取付部材７と、保持部材８と、板ばね部材９とを備え、三脚取付部材７には、板ばね部材９の第１傾斜面９１ａと係合する第１係合面７１ｂと、板ばね部材９の第２傾斜面９２ａと係合する第２係合面７２ｂとを有する係合部７ｂが、三脚取付部材７の回転方向に沿って１２個形成されており、三脚１０の雄ねじ部１０ａを三脚取付部材７の雌ねじ部７ａにＢ方向に締め付ける際に、三脚取付部材７に対してＢ方向に第１の力以上の大きさの力が加わった場合には、第１係合面７１ｂが第１傾斜面９１ａを押圧することにより、第１係合面７１ｂと第１傾斜面９１ａとの係合が解除されるように、係合部７ｂの第１係合面７１ｂおよび第２係合面７２ｂと板ばね部材９の第１傾斜面９１ａおよび第２傾斜面９２ａとが構成されている。【選択図】図７
2008009309.tif 000002
【特許請求の範囲】
【請求項１】
撮影装置本体を構成する筐体と、
前記撮影装置本体を支持する支持脚の第１ねじ部が螺合される第２ねじ部と、係合部とを有するとともに、回転可能に前記筐体に設けられた支持脚取付部材とを備えた撮影装置において、
前記筐体に取り付けられ、前記支持脚取付部材が回転可能に挿入される穴部を有するとともに、前記穴部に挿入された前記支持脚取付部材を回転可能に保持する保持部材と、
前記保持部材に取り付けられ、第１傾斜面と、前記第１傾斜面に対して所定の角度傾斜した第２傾斜面とを含む突出部を有する板ばね部材とをさらに備え、
前記支持脚取付部材には、前記板ばね部材の第１傾斜面と係合する第１係合面と、前記板ばね部材の第２傾斜面と係合する第２係合面とを有する係合部が、前記支持脚取付部材の回転方向に沿って複数形成されており、
前記支持脚の第１ねじ部を前記支持脚取付部材の第２ねじ部に第１回転方向に締め付ける際に、前記支持脚取付部材に対して前記第１回転方向に第１の力以上の大きさの力が加わった場合には、前記支持脚取付部材の第１係合面が前記板ばね部材の第１傾斜面を押圧することにより、前記第１係合面と前記第１傾斜面との係合が解除される一方、前記支持脚取付部材に対して前記第１回転方向とは反対の第２回転方向に第１の力以上の大きさの力が加わった場合には、前記支持脚取付部材の第２係合面が前記板ばね部材の第２傾斜面を押圧したとしても、前記第２係合面と前記第２傾斜面との係合は解除されないように、前記係合部の第１係合面および第２係合面と前記板ばね部材の第１傾斜面および第２傾斜面とが構成されている、撮影装置。
【請求項２】
撮影装置本体を構成する筐体と、
前記撮影装置本体を支持する支持脚の第１ねじ部が螺合される第２ねじ部と、係合部とを有するとともに、回転可能に前記筐体に設けられた支持脚取付部材と、
前記支持脚取付部材の係合部と係合する突出部を有する板ばね部材とを備え、
前記支持脚の第１ねじ部を前記支持脚取付部材の第２ねじ部に第１回転方向に締め付ける際に、前記支持脚取付部材に対して前記第１回転方向に第１の力以上の大きさの力が加わった場合に前記支持脚取付部材の係合部により前記板ばね部材の前記突出部が押圧されて前記支持脚取付部材と前記板ばね部材の突出部との係合が解除される、撮影装置。
【請求項３】
前記筐体に取り付けられ、前記支持脚取付部材が回転可能に挿入される穴部を有するとともに、前記穴部に挿入された前記支持脚取付部材を回転可能に保持する保持部材をさらに備える、請求項２に記載の撮影装置。
【請求項４】
前記保持部材は、前記保持部材の穴部を横切るように設けられた柱状部を含み、
前記支持脚取付部材は、前記支持脚取付部材の下面の外周に沿って設けられた段差部を含み、
前記支持脚取付部材は、上面が前記柱状部と当接するとともに、前記段差部が前記筐体の底面と当接することにより、前記撮影装置に回転可能に支持される、請求項１または３に記載の撮影装置。
【請求項５】
前記板ばね部材の突出部は、第１傾斜面と、前記第１傾斜面に対して所定の角度傾斜した第２傾斜面とを含むとともに、前記支持脚取付部材の係合部は、前記板ばね部材の第１傾斜面と係合する第１係合面と、前記板ばね部材の第２傾斜面と係合する第２係合面とを含み、
前記支持脚取付部材に対して前記第１回転方向に第１の力以上の大きさの力が加わった場合には、前記支持脚取付部材の第１係合面が前記板ばね部材の第１傾斜面を押圧することにより、前記第１係合面と前記第１傾斜面との係合が解除される一方、前記支持脚取付部材に対して前記第１回転方向とは反対の第２回転方向に前記第１の力以上の大きさの力が加わった場合には、前記支持脚取付部材の第２係合面が前記板ばね部材の第２傾斜面を押圧したとしても、前記第２係合面と前記第２傾斜面との係合は解除されないように、前記係合部の第１係合面および第２係合面と前記板ばね部材の第１傾斜面および第２傾斜面とが構成されている、請求項２または３に記載の撮影装置。
【請求項６】
前記係合部の第１係合面および第２係合面は、回転可能な前記支持脚取付部材の外周部に、前記支持脚取付部材の回転方向を前記第１回転方向に制限するためのラチェット機構の歯車部を構成するように設けられており、
前記板ばね部材の第１傾斜面および第２傾斜面は、前記ラチェット機構の爪部を構成するように設けられている、請求項１または５に記載の撮影装置。
【請求項７】
前記板ばね部材の第１傾斜面および第２傾斜面は、それぞれ、前記係合部の第１係合面および第２係合面に面接触可能に構成されている、請求項６に記載の撮影装置。
【請求項８】
少なくとも前記板ばね部材の第１傾斜面は、前記支持脚取付部材の係合部の半径方向の外側に弾性変形可能に構成されている、請求項７に記載の撮影装置。
【請求項９】
前記板ばね部材は、前記第１傾斜面側および前記第２傾斜面側の両方で前記支持脚取付部材に固定されている、請求項１または２に記載の撮影装置。
【請求項１０】
前記支持脚取付部材の係合部は、前記支持脚取付部材の回転方向に沿って複数形成されている、請求項２、請求項３および５のいずれか１項に記載の撮影装置。
【請求項１１】
前記支持脚取付部材の係合部の上面を押圧する押さえばね部材をさらに備える、請求項１または２に記載の撮影装置。
【発明の詳細な説明】
【技術分野】
【０００１】
この発明は、撮影装置に関し、特に、撮影装置を支持するための支持脚を取り付けるための支持脚取付部材を備えた撮影装置に関する。
【背景技術】
【０００２】
従来、三脚などの支持脚を取り付けるための支持脚取付部材（三脚取付部材）を備えた撮影装置が知られている（たとえば、特許文献１〜４参照）。
【０００３】
上記特許文献１〜４には、撮影装置を構成する筐体に、雌ねじ部を有する三脚取付部材が設置された撮影装置が開示されている。なお、上記特許文献１〜４の撮影装置を支持するための三脚には、撮影装置の三脚取付部材の雌ねじ部に螺合される雄ねじ部が設けられている。
【０００４】
【特許文献１】特開平８−３０４９０２号公報
【特許文献２】特開２００２−６３８１号公報
【特許文献３】特開２００３−２４１２７８号公報
【特許文献４】特開２００３−２５５４５３号公報
【発明の開示】
【発明が解決しようとする課題】
【０００５】
しかしながら、上記特許文献１〜４に開示された従来の撮影装置では、撮影装置の三脚取付部材の雌ねじ部に三脚の雄ねじ部を螺合する際に、必要以上の力で締め付けを行った場合には、撮影装置の三脚取付部材（支持脚取付部材）の雌ねじ部が破損するという問題点がある。
【０００６】
この発明は、上記のような課題を解決するためになされたものであり、この発明の１つの目的は、支持脚取付部材の破損を抑制することが可能な撮影装置を提供することである。
【課題を解決するための手段および発明の効果】
【０００７】
この発明の第１の局面における撮影装置は、撮影装置本体を構成する筐体と、撮影装置本体を支持する支持脚の第１ねじ部が螺合される第２ねじ部と、係合部とを有するとともに、回転可能に筐体に設けられた支持脚取付部材とを備えた撮影装置において、筐体に取り付けられ、支持脚取付部材が回転可能に挿入される穴部を有するとともに、穴部に挿入された支持脚取付部材を回転可能に保持する保持部材と、保持部材に取り付けられ、第１傾斜面と、第１傾斜面に対して所定の角度傾斜した第２傾斜面とを含む突出部を有する板ばね部材とをさらに備え、支持脚取付部材には、板ばね部材の第１傾斜面と係合する第１係合面と、板ばね部材の第２傾斜面と係合する第２係合面とを有する係合部が、支持脚取付部材の回転方向に沿って複数形成されており、支持脚の第１ねじ部を支持脚取付部材の第２ねじ部に第１回転方向に締め付ける際に、支持脚取付部材に対して第１回転方向に第１の力以上の大きさの力が加わった場合には、支持脚取付部材の第１係合面が板ばね部材の第１傾斜面を押圧することにより、第１係合面と第１傾斜面との係合が解除される一方、支持脚取付部材に対して第１回転方向とは反対の第２回転方向に第１の力以上の大きさの力が加わった場合には、支持脚取付部材の第２係合面が板ばね部材の第２傾斜面を押圧したとしても、第２係合面と第２傾斜面との係合は解除されないように、係合部の第１係合面および第２係合面と板ばね部材の第１傾斜面および第２傾斜面とが構成されている。
【０００８】
この第１の局面による撮影装置では、上記のように、撮影装置本体を支持する支持脚の第１ねじ部が螺合される第２ねじ部と係合部とを有する支持脚取付部材を、筐体に回転可能に設けるとともに、突出部を有する板ばね部材を設け、かつ、支持脚の第１ねじ部を支持脚取付部材の第２ねじ部にねじ込む際に、支持脚取付部材に対して第１回転方向に第１の力以上の大きさの力が加わった場合に支持脚取付部材の係合部に板ばね部材の突出部が押圧されて支持脚取付部材の係合部と板ばね部材の突出部との係合が解除されるように構成することによって、第１の力以上の大きさの力で支持脚取付部材の第２ねじ部に対する支持脚の第１ねじ部の締め付けが行われた場合に、板ばね部材の突出部と支持脚取付部材の係合部との係合が解除されて、支持脚取付部材（第２ねじ部）が支持脚（第１ねじ部）と共に第１回転方向に回転される。これにより、撮影装置の支持脚取付部材（第２ねじ部）に支持脚（第１ねじ部）を螺合する際に、必要以上の力（第１の力以上の大きさの力）で締め付けが行われたとしても、支持脚取付部材（第２ねじ部）が破損するのを抑制することができる。なお、第１の力未満の大きさの力で撮影装置の支持脚取付部材（第２ねじ部）に支持脚（第１ねじ部）を締め付ける場合には、板ばね部材の突出部と支持脚取付部材の係合部との係合状態が保持されるので、支持脚取付部材（第２ねじ部）が支持脚（第１ねじ部）と共に第１回転方向に回転することがない。これにより、支持脚取付部材の第２ねじ部に支持脚の第１ねじ部を第１の力未満の大きさの力で締め付けることができる。また、筐体に取り付けられ、支持脚取付部材が回転可能に挿入される穴部を有するとともに、穴部に挿入された支持脚取付部材を回転可能に保持する保持部材をさらに備えることによって、容易に、保持部材により、支持脚取付部材を回転可能に保持することができる。
【０００９】
また、第１の局面では、板ばね部材の突出部を、第１傾斜面と、第１傾斜面に対して所定の角度傾斜した第２傾斜面とを含むように設け、かつ、支持脚取付部材の係合部を、板ばね部材の第１傾斜面と係合する第１係合面と、板ばね部材の第２傾斜面と係合する第２係合面とを含むように設け、支持脚取付部材に対して第１回転方向とは反対の第２回転方向に第１の力以上の大きさの力が加わった場合に、支持脚取付部材の第２係合面が板ばね部材の第２傾斜面を押圧したとしても、第２係合面と第２傾斜面との係合は解除されないように、係合部の第１係合面および第２係合面と板ばね部材の第１傾斜面および第２傾斜面とを構成することによって、支持脚（第１ねじ部）を第１回転方向とは反対の第２回転方向に回転させることにより撮影装置の支持脚取付部材（第２ねじ部）から支持脚（第１ねじ部）を取り外す場合に、第１回転方向への締め付け力（第１の力未満の大きさの力）よりも大きい力（第１の力以上の大きさの力）で第２回転方向に力を加えたとしても、板ばね部材の第２傾斜面と支持脚取付部材の第２係合面との係合状態が保持されるので、支持脚取付部材（第２ねじ部）が支持脚（第１ねじ部）と共に第２回転方向に回転することがない。これにより、容易に、撮影装置の支持脚取付部材（第２ねじ部）から支持脚（第１ねじ部）を取り外すことができる。また、支持脚取付部材の係合部を、支持脚取付部材の回転方向に沿って複数形成することによって、支持脚取付部材が第１回転方向に回転したとしても、回転後の位置において支持脚取付部材の係合部と板ばね部材の突出部とを係合させることができる。
【００１０】
この発明の第２の局面による撮影装置は、撮影装置本体を構成する筐体と、撮影装置本体を支持する支持脚の第１ねじ部が螺合される第２ねじ部と、係合部とを有するとともに、回転可能に筐体に設けられた支持脚取付部材と、支持脚取付部材の係合部と係合する突出部を有する板ばね部材とを備え、支持脚の第１ねじ部を支持脚取付部材の第２ねじ部に第１回転方向に締め付ける際に、支持脚取付部材に対して第１回転方向に第１の力以上の大きさの力が加わった場合に支持脚取付部材の係合部により板ばね部材の突出部が押圧されて支持脚取付部材と板ばね部材の突出部との係合が解除される。
【００１１】
この発明の第２の局面による撮影装置では、上記のように、撮影装置本体を支持する支持脚の第１ねじ部が螺合される第２ねじ部と係合部とを有する支持脚取付部材を、筐体に回転可能に設けるとともに、突出部を有する板ばね部材を設け、かつ、支持脚の第１ねじ部を支持脚取付部材の第２ねじ部にねじ込む際に、支持脚取付部材に対して第１回転方向に第１の力以上の大きさの力が加わった場合に支持脚取付部材の係合部に板ばね部材の突出部が押圧されて支持脚取付部材の係合部と板ばね部材の突出部との係合が解除されるように構成することによって、第１の力以上の大きさの力で支持脚取付部材の第２ねじ部に対する支持脚の第１ねじ部の締め付けが行われた場合に、板ばね部材の突出部と支持脚取付部材の係合部との係合が解除されて、支持脚取付部材（第２ねじ部）が支持脚（第１ねじ部）と共に第１回転方向に回転される。これにより、撮影装置の支持脚取付部材（第２ねじ部）に支持脚（第１ねじ部）を螺合する際に、必要以上の力（第１の力以上の大きさの力）で締め付けが行われたとしても、支持脚取付部材（第２ねじ部）が破損するのを抑制することができる。なお、第１の力未満の大きさの力で撮影装置の支持脚取付部材（第２ねじ部）に支持脚（第１ねじ部）を締め付ける場合には、板ばね部材の突出部と支持脚取付部材の係合部との係合状態が保持されるので、支持脚取付部材（第２ねじ部）が支持脚（第１ねじ部）と共に第１回転方向に回転することがない。これにより、支持脚取付部材の第２ねじ部に支持脚の第１ねじ部を第１の力未満の大きさの力で締め付けることができる。
【００１２】
上記第２の局面による撮影装置において、好ましくは、筐体に取り付けられ、支持脚取付部材が回転可能に挿入される穴部を有するとともに、穴部に挿入された支持脚取付部材を回転可能に保持する保持部材をさらに備える。このように構成すれば、容易に、保持部材により、支持脚取付部材を回転可能に保持することができる。
【００１３】
上記第１の局面による撮影装置または上記支持脚取付部材が回転可能に保持される穴部を有する保持部材をさらに備えた撮影装置において、好ましくは、保持部材は、保持部材の穴部を横切るように設けられた柱状部を含み、支持脚取付部材は、支持脚取付部材の下面の外周に沿って設けられた段差部を含み、支持脚取付部材は、上面が柱状部と当接するとともに、段差部が筐体の底面と当接することにより、撮影装置に回転可能に支持される。このように構成すれば、支持脚取付部材の上面が保持部材の柱状部に当接するので、支持脚取付部材が保持部材の穴部から筐体の内側方向に抜け落ちることを防止することができる。また、支持脚取付部材の段差部が筐体の底面と当接するので、支持脚取付部材が保持部材の穴部から筐体の外側方向に抜け落ちることを防止することができる。その結果、支持脚取付部材を、保持部材の穴部から抜け落ちることなく撮影装置に回転可能に支持することができる。
【００１４】
上記第２の局面による撮影装置において、好ましくは、板ばね部材の突出部は、第１傾斜面と、第１傾斜面に対して所定の角度傾斜した第２傾斜面とを含むとともに、支持脚取付部材の係合部は、板ばね部材の第１傾斜面と係合する第１係合面と、板ばね部材の第２傾斜面と係合する第２係合面とを含み、支持脚取付部材に対して第１回転方向に第１の力以上の大きさの力が加わった場合には、支持脚取付部材の第１係合面が板ばね部材の第１傾斜面を押圧することにより、第１係合面と第１傾斜面との係合が解除される一方、支持脚取付部材に対して第１回転方向とは反対の第２回転方向に第１の力以上の大きさの力が加わった場合には、支持脚取付部材の第２係合面が板ばね部材の第２傾斜面を押圧したとしても、第２係合面と第２傾斜面との係合は解除されないように係合部の第１係合面および第２係合面と板ばね部材の第１傾斜面および第２傾斜面とが構成されている。このように構成すれば、支持脚（第１ねじ部）を第１回転方向とは反対の第２回転方向に回転させることにより撮影装置の支持脚取付部材（第２ねじ部）から支持脚（第１ねじ部）を取り外す場合に、第１回転方向への締め付け力（第１の力未満の大きさの力）よりも大きい力（第１の力以上の大きさの力）で第２回転方向に力を加えたとしても、板ばね部材の第２傾斜面と支持脚取付部材の第２係合面との係合状態が保持されるので、支持脚取付部材（第２ねじ部）が支持脚（第１ねじ部）と共に第２回転方向に回転することがない。これにより、容易に、撮影装置の支持脚取付部材（第２ねじ部）から支持脚（第１ねじ部）を取り外すことができる。
【００１５】
上記第１の局面による撮影装置または上記板ばね部材の突出部が第１傾斜面および第２傾斜面を含む撮影装置において、好ましくは、係合部の第１係合面および第２係合面は、回転可能な支持脚取付部材の外周部に、支持脚取付部材の回転方向を第１回転方向に制限するためのラチェット機構の歯車部を構成するように設けられており、板ばね部材の第１傾斜面および第２傾斜面は、ラチェット機構の爪部を構成するように設けられている。このように構成すれば、ラチェット機構を構成する支持脚取付部材の係合部および板ばね部材により、容易に、支持脚取付部材の回転方向を第１回転方向に制限することができるので、容易に、撮影装置の支持脚取付部材（第２ねじ部）から支持脚（第１ねじ部）を取り外すことができる。
【００１６】
この場合、好ましくは、板ばね部材の第１傾斜面および第２傾斜面は、それぞれ、係合部の第１係合面および第２係合面に面接触可能に構成されている。このように構成すれば、支持脚取付部材（第２ねじ部）の係合部と板ばね部材とが係合する際の係合部のがたつきを抑制することができる。
【００１７】
この場合、好ましくは、少なくとも板ばね部材の第１傾斜面は、支持脚取付部材の係合部の半径方向の外側に弾性変形可能に構成されている。このように構成すれば、板ばね部材の突出部は、外側に弾性変形した後に、支持脚取付部材の係合部の中心（支持脚取付部材の回転中心）に向かって形状を復元するので、容易に、支持脚取付部材の次の係合部と板ばね部材の突出部とを係合させることができる。
【００１８】
上記第１または第２の局面による撮影装置において、好ましくは、板ばね部材は、第１傾斜面側および第２傾斜面側の両方で支持脚取付部材に固定されている。このように構成すれば、板ばね部材の第１傾斜面および第２傾斜面が弾性変形を繰り返す場合にも、板ばね部材の位置がずれるのを抑制することができる。
【００１９】
上記第２の局面による撮影装置において、好ましくは、支持脚取付部材の係合部は、支持脚取付部材の回転方向に沿って複数形成されている。このように構成すれば、支持脚取付部材が第１回転方向に回転したとしても、回転後の位置において支持脚取付部材の係合部と板ばね部材の突出部とを係合させることができる。
【００２０】
上記第１または第２の局面による撮影装置において、好ましくは、支持脚取付部材の係合部の上面を押圧する押さえばね部材をさらに備える。このように構成すれば、支持脚取付部材の上面が押さえばね部材によって押圧されるので、支持脚取付部材が保持部材の穴部から筐体の内側方向に抜け落ちることを防止することができる。
【発明を実施するための最良の形態】
【００２１】
以下、本発明を具体化した実施形態を図面に基づいて説明する。
【００２２】
図１は、本発明の一実施形態によるビデオカメラが三脚に取り付けられた状態を示した斜視図である。図２は、図１に示した一実施形態によるビデオカメラの底面図である。図３〜図１１は、図１に示した一実施形態によるビデオカメラの構造の詳細を説明するための図である。まず、図１〜図１１を参照して、本実施形態によるビデオカメラ１の構造について説明する。
【００２３】
本実施形態によるビデオカメラ１は、図１に示すように、三脚１０を取り付けることが可能なように構成されている。また、ビデオカメラ１は、筐体２に、レンズ３と、ファインダ４と、内蔵マイク５と、撮影ボタン６とが取り付けられた構造を有する。なお、ビデオカメラ１は、本発明の「撮影装置」の一例であり、三脚１０は、本発明の「支持脚」の一例である。
【００２４】
筐体２は、一方筐体２１と、他方筐体２２とにより構成されている。また、一方筐体２１および他方筐体２２の各々の底面側には、図２に示すように、一方筐体２１と他方筐体２２とを組み合わせたときに円形状の穴部２ａとなる切欠部２１ａおよび２２ａが形成されている。また、図１に示すように、レンズ３は、筐体２の内部に収納され、かつ、筐体２の内部から外部に突出されるように構成されている。ファインダ４は、ユーザがファインダ４を介して被写体を見ながら、撮影範囲を決定することが可能なように構成されている。内蔵マイク５は、撮影時（録画時）に集音する機能を有している。撮影ボタン６は、撮影時に押されることにより、撮影が行われるように構成されている。
【００２５】
ここで、本実施形態では、図２に示すように、筐体２の穴部２ａに対応する部分に、雌ねじ部７ａを有する樹脂製の三脚取付部材７が設けられている。この三脚取付部材７は、図１に示した三脚１０をビデオカメラ１に取り付けるために設けられている。なお、三脚取付部材７は、本発明の「支持脚取付部材」の一例であり、雌ねじ部７ａは、本発明の「第２ねじ部」の一例である。
【００２６】
また、本実施形態では、図３、図４、図７および図８に示すように、筐体２の穴部２ａに対応する部分に、穴部８ａを有する樹脂製の保持部材８が取り付けられている。そして、図３〜図８に示すように、保持部材８の穴部８ａに三脚取付部材７が挿入されることにより、三脚取付部材７が保持部材８により回転可能に保持されている。また、保持部材８の筐体２の内部側には、穴部８ａを横切るように、柱状部８ｂが一体的に形成されている。この柱状部８ｂにより、保持部材８の穴部８ａに挿入された三脚取付部材７が筐体２の内側方向（図６の矢印Ａ方向）に抜け落ちるのが抑制される。また、保持部材８の筐体２の底面側の端部近傍には、保持部材８を筐体２にねじ止めするための取付部８ｃが設けられている。
【００２７】
また、本実施形態では、図６および図７に示すように、保持部材８の筐体２の内部側に、板ばね部材９が取り付けられている。この板ばね部材９は、突出部９ａを有するとともに、その突出部９ａは、第１傾斜面９１ａと、第１傾斜面９１ａに対して所定の角度傾斜した第２傾斜面９２ａとによって構成されている。また、板ばね部材９は、突出部９ａが保持部材８の穴部８ａ側に突出するように配置されている。また、板ばね部材９の第１傾斜面９１ａおよび第２傾斜面９２ａは、後述する三脚取付部材７の係合部７ｂの半径方向の外側に弾性変形可能に構成されている。また、板ばね部材９には、板ばね部材９の第１傾斜面９１ａ側の部分と第２傾斜面９２ａ側の部分との両方を保持部材８にねじ止めするための一対の取付部９ｂが設けられている。
【００２８】
また、本実施形態では、図６、図７および図９に示すように、三脚取付部材７の上面（筐体２の内部側）の外周部には、板ばね部材９の第１傾斜面９１ａと係合する第１係合面７１ｂと、板ばね部材９の第２傾斜面９２ａと係合する第２係合面７２ｂとを有する係合部７ｂが形成されている。この三脚取付部材７の係合部７ｂは、三脚取付部材７の外周部に、三脚取付部材７の回転方向（図７の矢印ＢおよびＣ）に沿って１２個等間隔で形成されるとともに、傾斜した歯車状に形成されている。この係合部７ｂの第１係合面７１ｂおよび第２係合面７２ｂは、三脚取付部材７の回転方向をＢ方向に制限するためのラチェット機構の歯車部を構成し、板ばね部材９の第１傾斜面９１ａおよび第２傾斜面９２ａからなる突出部９ａは、上記ラチェット機構の爪部を構成するように形成されている。また、第１係合面７１ｂおよび第２係合面７２ｂは、図９に示すように、第１係合面７１ｂと、係合部７ｂに外接する外接円（三脚取付部材７の外側面を構成する円）の第１係合面７１ｂとの交点Ｐにおける接線２００とのなす角度αより、第２係合面７２ｂと、係合部７ｂに外接する外接円（三脚取付部材７の外側面を構成する円）の第２係合面７２ｂとの交点Ｑにおける接線３００とのなす角度βが大きくなるように構成されている。また、板ばね部材９の第１傾斜面９１ａおよび第２傾斜面９２ａは、それぞれ、係合部７ｂの第１係合面７１ｂおよび第２係合面７２ｂに面接触可能に構成されている。
【００２９】
また、本実施形態では、図９に示すように、三脚取付部材７の第１係合面７１ｂは、三脚取付部材７に対してＢ方向に力が加わった場合に、板ばね部材９の第１傾斜面９１ａを押圧し、かつ、三脚取付部材７の第２係合面７２ｂは、三脚取付部材７に対してＢ方向とは反対のＣ方向に力が加わった場合に、板ばね部材９の第２傾斜面９２ａを押圧するように配置されている。また、突出部９ａの第１傾斜面９１ａは、係合部７ｂの第１係合面７１ｂから三脚取付部材７の回転中心Ｏを中心とする円の接線方向の力Ｆ１で押圧されると、第１傾斜面９１ａの垂直方向の力Ｆ３（＝Ｆ１ｃｏｓθ）を受ける。この力Ｆ３は、接線方向の力Ｆ１に対して外側に角度θ傾斜した力であり、突出部９ａの第１傾斜面９１ａを、係合を解除する方向である外側に弾性変形しやすくする力である。その一方、突出部９ａの第２傾斜面９２ａは、係合部７ｂの第２係合面７２ｂから三脚取付部材７の回転中心Ｏを中心とする円の接線方向の力Ｆ２で押圧されると、第２傾斜面９２ａの垂直方向（接線方向）の力Ｆ２を受ける。したがって、突出部９ａの第２傾斜面９２ａには、接線方向の力Ｆ２のみが働き、接線方向の力Ｆ２に対して外側に傾斜した力は働かない。このため、突出部９ａの第２傾斜面９２ａは、係合を解除する方向である外側には弾性変形しにくい。
【００３０】
つまり、図９に示すように、突出部９ａは、第２傾斜面９２ａに対して力Ｆ２が加わった際に、係合を解除する方向である外側に弾性変形しにくく、第１傾斜面９１ａに対して力Ｆ１が加わった際に、係合を解除する方向である外側に弾性変形しやすいように構成されている。したがって、板ばね部材９の突出部９ａは、三脚取付部材７に対して加わったＢ方向の力が第１の力以上の大きさの力の場合には、第１係合面７１ｂと第１傾斜面９１ａとの係合状態が解除されるまでＦ３方向に弾性変形し、三脚取付部材７に対して加わったＢ方向の力が第１の力未満の大きさの力の場合には、第１係合面７１ｂと第１傾斜面９１ａとの係合状態が解除される程度までは弾性変形しない。一方、板ばね部材９の突出部９ａは、三脚取付部材７に対して加わったＣ方向の力が第１の力以上の大きさの力の場合にも、第２係合面７２ｂと第２傾斜面９２ａとの係合状態が解除される程度までは弾性変形しない。
【００３１】
また、本実施形態では、図３、図４および図８に示すように、三脚取付部材７の下面には、外周に沿って段差部７ｃが設けられている。この三脚取付部材７の段差部７ｃは、三脚取付部材７が保持部材８の穴部８ａに挿入された状態において、筐体２の内面に支持されている。これにより、保持部材８の穴部８ａに挿入された三脚取付部材７が、筐体２の外側方向（図４の矢印Ｄ方向）に抜け落ちるのが抑制されるとともに、回転可能な状態で筐体２に支持されるように構成されている。
【００３２】
また、図１０および図１１に示すように、ビデオカメラ１を支持するための三脚１０には、三脚取付部材７の雌ねじ部７ａに対応する雄ねじ部１０ａが設けられている。そして、ビデオカメラ１を三脚１０により支持する場合には、三脚１０の雄ねじ部１０ａが取り付け部材７の雌ねじ部７ａに螺合されて締め付けられる。なお、雄ねじ部１０ａは、本発明の「第１ねじ部」の一例である。
【００３３】
次に、図７、図１０および図１１を参照して、三脚１０をビデオカメラ１に取り付けおよび取り外す際の動作について説明する。
【００３４】
まず、三脚１０をビデオカメラ１に取り付ける際には、図１０に示すように、三脚１０を矢印Ｅ方向に移動させ、三脚１０の雄ねじ部１０ａを三脚取付部材７の雌ねじ部７ａに接触させた後に、雄ねじ部１０ａをＢ方向に回転させる。このとき、三脚１０の雄ねじ部１０ａを第１の力未満の大きさの力で締め付けた場合には、係合部７ｂの第１係合面７１ｂにより板ばね部材９の第１傾斜面９１ａが押圧されたとしても、板ばね部材９の突出部９ａと三脚取付部材７の係合部７ｂとの係合が解除される程度までは板ばね部材９は弾性変形しない。したがって、三脚１０の雄ねじ部１０ａを第１の力未満の大きさの力で締め付けた場合には、三脚取付部材７の第１係合面７１ｂと板ばね部材９の第１傾斜面９１ａとの係合状態が保持される。これにより、三脚取付部材７が三脚１０と共にＢ方向に回転することがないので、雌ねじ部７ａに雄ねじ部１０ａが螺合される。また、第１の力以上の大きさの力で三脚取付部材７の雌ねじ部７ａに対する三脚１０の雄ねじ部１０ａの締め付けが行われた場合には、上記のように第１傾斜面９１ａ（突出部９ａ）は弾性変形しやすいので、係合部７ｂの第１係合面７１ｂにより板ばね部材９の第１傾斜面９１ａが押圧されることによって、板ばね部材９の突出部９ａと三脚取付部材７の係合部７ｂとの係合が解除されるまで板ばね部材９が弾性変形する。したがって、三脚１０の雄ねじ部１０ａを第１の力以上の大きさの力で締め付けた場合には、三脚取付部材７の第１係合面７１ｂと板ばね部材９の第１傾斜面９１ａとの係合状態が解除される。これにより、三脚取付部材７が三脚１０と共にＢ方向に回転するので、三脚取付部材７の雌ねじ部７ａに対する三脚１０の雄ねじ部１０ａの締め付けが行われなくなる。
【００３５】
次に、三脚１０をビデオカメラ１から取り外す際には、図１１に示すように、雄ねじ部１０ａをＣ方向に回転させる。このとき、三脚１０の雄ねじ部１０ａを第１の力以上の大きさの力で緩めた場合には、係合部７ｂの第２係合面７２ｂにより板ばね部材９の第２傾斜面９２ａが押圧されたとしても、上記のように第２傾斜面９２ａ（突出部９ａ）は弾性変形しにくいので、板ばね部材９の突出部９ａと三脚取付部材７の係合部７ｂとの係合が解除される程度までは板ばね部材９は弾性変形しない。したがって、三脚１０の雄ねじ部１０ａを第１の力以上の大きさの力で緩めた場合にも、三脚取付部材７の第２係合面７２ｂと板ばね部材９の第２傾斜面９２ａとの係合状態が保持される。これにより、三脚取付部材７が三脚１０と共にＣ方向に回転することがないので、三脚取付部材７の雌ねじ部７ａから三脚１０の雄ねじ部１０ａが取り外される。
【００３６】
本実施形態では、上記のように、ビデオカメラ１を支持する三脚１０の雄ねじ部１０ａが螺合される雌ねじ部７ａと係合部７ｂとを有する三脚取付部材７を、筐体２に回転可能に設けるとともに、突出部９ａを有する板ばね部材９を設け、かつ、三脚１０の雄ねじ部１０ａを三脚取付部材７の雌ねじ部７ａにねじ込む際に、三脚取付部材７に対してＢ方向に第１の力以上の大きさの力が加わった場合に三脚取付部材７の係合部７ｂに板ばね部材９の突出部９ａが押圧されて三脚取付部材７の係合部７ｂと板ばね部材９の突出部９ａとの係合が解除されるように構成することによって、第１の力以上の大きさの力で三脚取付部材７の雌ねじ部７ａに対する三脚１０の雄ねじ部１０ａの締め付けが行われた場合に、板ばね部材９の突出部９ａと三脚取付部材７の係合部７ｂとの係合が解除されて、三脚取付部材７（雌ねじ部７ａ）が三脚１０（雄ねじ部１０ａ）と共にＢ方向に回転される。これにより、ビデオカメラ１の三脚取付部材７（雌ねじ部７ａ）に三脚１０（雄ねじ部１０ａ）を螺合する際に、必要以上の力（第１の力以上の大きさの力）で締め付けが行われたとしても、三脚取付部材７（雌ねじ部７ａ）が破損するのを抑制することができる。なお、第１の力未満の大きさの力でビデオカメラ１の三脚取付部材７（雌ねじ部７ａ）に三脚１０（雄ねじ部１０ａ）を締め付ける場合には、板ばね部材９の突出部９ａと三脚取付部材７の係合部７ｂとの係合状態が保持されるので、三脚取付部材７（雌ねじ部７ａ）が三脚１０（雄ねじ部１０ａ）と共にＢ方向に回転することがない。これにより、三脚取付部材７の雌ねじ部７ａに三脚１０の雄ねじ部１０ａを第１の力未満の大きさの力で締め付けることができる。
【００３７】
また、本実施形態では、筐体２に取り付けられ、三脚取付部材７が回転可能に挿入される穴部８ａを有するとともに、穴部８ａに挿入された三脚取付部材７を回転可能に保持する保持部材８を筐体２に取り付けることによって、容易に、保持部材８により、三脚取付部材７を回転可能に保持することができる。
【００３８】
また、本実施形態では、保持部材８を、保持部材８の穴部８ａを横切るように設けられた柱状部８ｂを含み、三脚取付部材７を、三脚取付部材７の下面の外周に沿って設けられた段差部７ｃを含むように構成することによって、三脚取付部材７の上面が保持部材８の柱状部８ｂに当接するので、三脚取付部材７が保持部材８の穴部８ａから筐体２の内側方向（矢印Ａ方向）に抜け落ちることを防止することができるとともに、三脚取付部材７の段差部７ｃが筐体２の底面と当接するので、三脚取付部材７が保持部材８の穴部８ａから筐体２の外側方向（矢印Ｄ方向）に抜け落ちることを防止することができる。その結果、三脚取付部材７を、保持部材８の穴部８ａから抜け落ちることなくビデオカメラ１に支持することができる。
【００３９】
また、本実施形態では、板ばね部材９の突出部９ａを、第１傾斜面９１ａと、第１傾斜面９１ａに対して所定の角度傾斜した第２傾斜面９２ａとを含むように設け、かつ、三脚取付部材７の係合部７ｂを、板ばね部材９の第１傾斜面９１ａと係合する第１係合面７１ｂと、板ばね部材９の第２傾斜面９２ａと係合する第２係合面７２ｂとを含むように設け、三脚取付部材７に対してＢ方向とは反対のＣ方向に第１の力以上の大きさの力が加わった場合に、三脚取付部材７の第２係合面７２ｂが板ばね部材９の第２傾斜面９２ａを押圧したとしても、第２係合面７２ｂと第２傾斜面９２ａとの係合は解除されないように係合部７ｂの第１係合面７１ｂおよび第２係合面７２ｂと板ばね部材９の第１傾斜面９１ａおよぼ第２傾斜面９２ａとを構成することによって、三脚１０（雄ねじ部１０ａ）をＢ方向とは反対のＣ方向に回転させることによりビデオカメラ１の三脚取付部材７（雌ねじ部７ａ）から三脚１０（雄ねじ部１０ａ）を取り外す場合に、Ｂ方向への締め付け力（第１の力未満の大きさの力）よりも大きい力（第１の力以上の大きさの力）でＣ方向に力を加えたとしても、板ばね部材９の第２傾斜面９２ａと三脚取付部材７の第２係合面７２ｂとの係合状態が保持されるので、三脚取付部材７（雌ねじ部７ａ）が三脚（雄ねじ部１０ａ）と共にＣ方向に回転することがない。これにより、容易に、ビデオカメラ１の三脚取付部材７（雌ねじ部７ａ）から三脚１０（雄ねじ部１０ａ）を取り外すことができる。
【００４０】
また、本実施形態では、係合部７ｂの第１係合面７１ｂおよび第２係合面７２ｂを、回転可能な三脚取付部材７の外周部に、三脚取付部材７の回転方向をＢ方向に制限するためのラチェット機構の歯車部を構成するように設けるとともに、板ばね部材９の第１傾斜面９１ａおよび第２傾斜面９２ａを、ラチェット機構の爪部を構成するように設けることによって、ラチェット機構を構成する三脚取付部材７の係合部７ｂおよび板ばね部材９により、容易に、三脚取付部材７の回転方向をＢ方向のみに制限することができるので、容易に、ビデオカメラ１の三脚取付部材７（雌ねじ部７ａ）から三脚１０（雄ねじ部１０ａ）を取り外すことができる。
【００４１】
また、本実施形態では、板ばね部材９の第１傾斜面９１ａおよび第２傾斜面９２ａは、それぞれ、係合部７ｂの第１係合面７１ｂおよび第２係合面７２ｂに面接触可能に構成することによって、三脚取付部材７の係合部７ｂと板ばね部材９とが係合する際の係合部７ｂのがたつきを抑制することができる。
【００４２】
また、本実施形態では、板ばね部材９の第１傾斜面９１ａおよび第２傾斜面９２ａを、三脚取付部材７の係合部７ｂの半径方向の外側に弾性変形可能に構成することによって、板ばね部材９の突出部９ａは、外側に弾性変形した後に、三脚取付部材７の係合部７ｂの中心（三脚取付部材７の回転中心Ｏ）に向かって形状を復元するので、容易に、三脚取付部材７の次の係合部７ｂと板ばね部材９の突出部９ａとを係合させることができる。
【００４３】
また、本実施形態では、板ばね部材９を、第１傾斜面９１ａ側の取付部９ｂおよび第２傾斜面９２ａ側の取付部９ｂの両方で、三脚取付部材７にねじ止めにより固定することによって、板ばね部材９ａの第１傾斜面９１ａおよび第２傾斜面９２ａが弾性変形を繰り返す場合にも、板ばね部材９の位置がずれるのを抑制することができる。
【００４４】
また、本実施形態では、三脚取付部材７の係合部７ｂを、三脚取付部材７の回転方向に沿って１２個等間隔で形成することによって、三脚取付部材７がＢ方向に回転したとしても、回転後の位置において三脚取付部材７の係合部７ｂと板ばね部材９の突出部９ａとを係合させることができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、撮影装置の一例としてビデオカメラを示したが、本発明はこれに限らず、三脚脚取付部材を有する撮影装置であれば、ビデオカメラ以外の他の撮影装置にも適用可能である。
【００４７】
また、上記実施形態では、支持脚の一例として三脚を示したが、本発明はこれに限らず、ビデオカメラの三脚取付部材に取り付けることが可能であれば、三脚以外の他の支持脚にも適用可能である。
【００４８】
また、上記実施形態では、ビデオカメラの筐体に保持部材を取り付けるとともに、その保持部材により三脚取付部材を回転可能に保持したが、本発明はこれに限らず、筐体の所定部分に、三脚取付部材を回転可能に保持する保持部を一体的に設けてもよい。
【００４９】
また、上記実施形態では、雌ねじ部を有する三脚取付部材が設けられたビデオカメラに、雄ねじ部が設けられた三脚を取り付ける場合について説明したが、本発明はこれに限らず、雄ねじ部を有する三脚取付部材が設けられたビデオカメラに、雌ねじ部を有する三脚を取り付ける場合にも適用可能である。
【００５０】
また、上記実施形態では、三脚取付部材の係合部を三脚取付部材の回転方向に沿って１２個形成したが、本発明はこれに限らず、少なくとも１つの係合部が三脚取付部材に形成されていればよい。
【００５１】
また、上記実施形態では、保持部材８の筐体２の内部側に、保持部材８の穴部８ａを横切るように柱状部８ｂを形成することにより、保持部材８の穴部８ａに挿入された三脚取付部材７が筐体２の内部側に抜け落ちないように構成したが、本発明はこれに限らず、図１２に示すように構成してもよい。具体的には、図１２に示すように、保持部材１８は、穴部１８ａと、板ばねからなる押さえスプリング１９とを備えている。そして、保持部材１８の穴部１８ａに挿入された三脚取付部材７は、押さえスプリング１９の付勢力により矢印Ｆ方向に押圧されるので、三脚取付部材７が筐体２の内部側（矢印Ｇ方向）に抜け落ちるのを抑制することができるように構成されている。なお、押さえスプリング１９は、本発明の「押さえばね部材」の一例である。
【００５２】
また、上記実施形態では、保持部材を筐体に対してねじ止めしたが、本発明はこれに限らず、保持部材を筐体に対してねじ止めするかわりに、保持部材に切欠部を設けるとともに、筐体の内部に保持部材の切欠部と係合する突出部を底面と対向するように設けることにより、保持部材の切欠部と筐体の突出部とを係合させ、かつ、保持部材を筐体の突出部と筐体の底面とにより挟み込むことによって、保持部材を筐体に対して固定してもよい。
【図面の簡単な説明】
【００５３】
【図１】本発明の一実施形態によるビデオカメラが三脚に取り付けられた状態を示した斜視図である。
【図２】図１に示した一実施形態によるビデオカメラの底面図である。
【図３】本発明の一実施形態による一方筐体に三脚取付部材を保持した状態で保持部材を取り付けた状態の斜視図である。
【図４】本発明の一実施形態による一方筐体に三脚取付部材を保持した状態で保持部材を取り付けた状態の三脚取付部材周辺の拡大図である。
【図５】本発明の一実施形態による保持部材に三脚取付部材を配置した状態の斜視図である。
【図６】本発明の一実施形態による保持部材に三脚取付部材を配置した状態の斜視図である。
【図７】本発明の一実施形態による一方筐体に三脚取付部材を保持した状態で保持部材を取り付けた状態の三脚取付部材周辺の拡大図である。
【図８】図７の１００−１００の線に沿った断面図である。
【図９】本発明の一実施形態による三脚取付部材と板ばね部材との係合状態を示した拡大平面図である。
【図１０】図１に示した一実施形態によるビデオカメラが三脚に取り付けられる前の状態を示した拡大図である。
【図１１】図１に示した一実施形態によるビデオカメラが三脚に取り付けられた状態を示した拡大図である。
【図１２】本発明の一実施形態の変形例による保持部材に三脚取付部材を配置した状態の斜視図である。
【符号の説明】
【００５４】
１  ビデオカメラ（撮影装置）
２  筐体
７  三脚取付部材（支持脚取付部材）
７ａ  雌ねじ部（第２ねじ部）
７ｂ  係合部
７ｃ  段差部
８  保持部材
８ａ  穴部
８ｂ  柱状部
９  板ばね部材
９ａ  突出部
１０  三脚（支持脚）
１０ａ  雄ねじ部（第１ねじ部）
７１ｂ  第１係合面
７２ｂ  第２係合面
９１ａ  第１傾斜面
９２ａ  第２傾斜面
【図１】
2008009309.tif 000003
【図２】
2008009309.tif 000004
【図３】
2008009309.tif 000005
【図４】
2008009309.tif 000006
【図５】
2008009309.tif 000007
【図６】
2008009309.tif 000008
【図７】
2008009309.tif 000009
【図８】
2008009309.tif 000010
【図９】
2008009309.tif 000011
【図１０】
2008009309.tif 000012
【図１１】
2008009309.tif 000013
【図１２】
2008009309.tif 000014